(57)【特許請求の範囲】
【請求項１】
ポーリング要求を受信した場合には、そのポーリング要求に応じたデータをサーバから受信して、受信したデータをポーリング要求した相手先に送信する制御手段を備え、前記制御手段は、受信したデータをポーリング要求した相手先に送信する際に、受信したデータがＨＴＭＬ文書である場合には受信したデータをポーリング要求した相手先の能力に合わせて画データに変換して相手先に送信し、受信したデータがプログラムデータ又は音声データである場合には受信したデータをポーリング要求した相手先にバイナリファイル転送するファクシミリ装置。
【請求項２】
請求項１に記載のファクシミリ装置において、制御手段は、ポーリング要求を受信した場合、該ポーリング要求と共に受信したＮＳＣ信号に格納されてくるＵＲＬ又はＦＴＰパスに基づいてＷＷＷサーバ又はＦＴＰサーバに対してデータの要求を行い、該ＷＷＷサーバ又はＦＴＰサーバから要求したデータを受信するファクシミリ装置。
【発明の詳細な説明】
【０００１】
【発明の属する技術分野】
本発明は、ファクシミリ装置に関し、より詳しくはポーリング要求があったときに特徴を有するファクシミリ装置に関するものである。
【０００２】
【従来の技術】
従来より、ファクシミリ通信においては、相手先に記憶されている原稿の画データを取り出す手段として、ポーリング機能がある。すなわち、送信側からの操作に基づいて、相手先に記憶されている原稿の画データを送信側で受信する機能である。
【０００３】
【発明が解決しようとする課題】
しかしながら、このポーリング機能は、ファクシミリ機能を備えた装置間のみでしか行うことができなかった。具体的に言えば、送信側からのポーリング要求に基づいて、送信側に送信するためのデータが、ポーリング要求されたファクシミリ装置の画像メモリに予め記憶されていなければならない。
【０００４】
本発明は、このような問題点に着目してなされたものであって、その目的は、ポーリング機能を有効に活用することが可能なファクシミリ装置を提供することにある。
【０００５】
【課題を解決するための手段】
上記の目的を達成するために、請求項１に記載の発明では、ポーリング要求を受信した場合には、そのポーリング要求に応じたデータをサーバから受信して、受信したデータをポーリング要求した相手先に送信する制御手段を備え、前記制御手段は、受信したデータをポーリング要求した相手先に送信する際に、受信したデータがＨＴＭＬ文書である場合には受信したデータをポーリング要求した相手先の能力に合わせて画データに変換して相手先に送信し、受信したデータがプログラムデータ又は音声データである場合には受信したデータをポーリング要求した相手先にバイナリファイル転送する。
【０００６】
請求項２に記載の発明では、請求項１に記載のファクシミリ装置において、制御手段は、ポーリング要求を受信した場合、該ポーリング要求と共に受信したＮＳＣ信号に格納されてくるＵＲＬ又はＦＴＰパスに基づいてＷＷＷサーバ又はＦＴＰサーバに対してデータの要求を行い、該ＷＷＷサーバ又はＦＴＰサーバから要求したデータを受信する。
【０００８】
【発明の実施の形態】
以下に、本発明に係るファクシミリ装置を具体化した一実施形態について図面を用いて説明する。
【０００９】
図１に示すように、ファクシミリ装置１は、ＭＰＵ１０、ＲＯＭ２０、ＲＡＭ３０、読取部４０、記録部５０、操作部６０、表示部７０、画像メモリ８０、コーデック９０、モデム１００、ＮＣＵ１１０、通信プロトコル制御部１２０及びデータ変換部１３０から構成されるとともに、各部１０〜１３０がバス１４０を介してそれぞれ接続されている。
【００１０】
ＭＰＵ１０は、ファクシミリ装置１を構成する各部を制御する。ＲＯＭ２０は、ファクシミリ装置１を制御するためのプログラムを記憶する。ＲＡＭ３０は、ファクシミリ装置１に関する各種情報を記憶する。
【００１１】
読取部４０は、原稿上の画像データを読み取って、白黒２値のイメージデータを出力する。
記録部５０は、電子写真方式のプリンタよりなり、受信画データや、コピー動作において読取部４０にて読み取られた原稿の画データを、記録紙上に記録する。
【００１２】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３、電話番号又はコピー部数等を入力するためのテンキー（＊，＃キーを含む）６４、原稿の読み取り動作を開始させるためのスタートキー６５等の各種操作キーを備えている。ＬＣＤ等よりなる表示部７０は、ファクシミリ装置１の動作状態等の各種情報の表示を行う。
【００１３】
画像メモリ８０は、受信画データや読取部４０で読み取られた画データを一時的に記憶する。コーデック９０は、読取部４０にて読み取られた画データを送信のためにＭＨ，ＭＲ，ＭＭＲ方式等により符号化（エンコード）する。また、コーデック９０は、受信画データを復号（デコード）する。
【００１４】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。また、モデム１００は、ＩＴＵ−Ｔ勧告Ｔ．４３４に従ったバイナリファイル転送（ＢＦＴ）の機能を備えている。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１５】
通信プロトコル制御部１２０は、公衆回線網やインターネット等を介して外部のファクシミリ装置やＷＷＷサーバ、ＦＴＰサーバとの間の通信を制御する通信プロトコルを備えている。具体的には、例えばＨＴＴＰ（Ｗｅｂサーバとクライアントの間でＨＴＭＬ文書を送受信するための通信プロトコル）、ＦＴＰ（ファイル転送プロトコル）等を備えている。
【００１６】
データ変換部１３０は、ＷＷＷサーバから受信したＨＴＭＬ文書を画データに変換する。また、ＦＴＰサーバから受信したファイルのデータを画データに変換する。
【００１７】
次に、ファクシミリ装置１に対してポーリング要求があったときの動作について、図２に示すフローチャートを用いて説明する。なお、この動作は、ＲＯＭ２０に記憶されたプログラムに基づき、ＭＰＵ１０の制御により実行される。
【００１８】
ステップＳ１においては、外部のファクシミリ装置から電話回線Ｌを介してＮＳＣ信号、ＣＩＧ信号、ＤＴＣ信号が受信される。ここで、ＮＳＣ信号には、ＵＲＬ又はＦＴＰパスが格納されてくる。また、ＣＩＧ信号には、外部のファクシミリ装置のＦＡＸ番号が格納されてくる。さらに、ＤＴＣ信号には、外部のファクシミリ装置の能力として解像度、記録紙サイズ等を示す情報が格納されてくるとともに、ファクシミリ装置１に対してポーリング要求を示す情報が格納されてくる。
【００１９】
ステップＳ２においては、ＮＣＵ１１０により、電話回線Ｌが一旦開放される。
ステップＳ３においては、ＮＳＣ信号中に格納されてきたＵＲＬ又はＦＴＰパスに基づいて、ＷＷＷサーバ又はＦＴＰサーバに対して、データの要求が行われる。
【００２０】
ステップＳ４においては、前記ステップＳ３において要求したデータがＷＷＷサーバ又はＦＴＰサーバから受信される。
ステップＳ５においては、前記ステップＳ４において受信したデータの拡張子に基づいて、所定のデータか否かが判断される。具体的には、ＨＴＭＬ文書であるか否かが判断される。ここで、ＨＴＭＬ文書以外のデータとしては、プログラムデータや音声データ等が挙げられる。そして、所定のデータである場合は、ステップＳ６に移行する。一方、所定のデータでない場合は、ステップＳ８に移行する。
【００２１】
ステップＳ６においては、前記ステップＳ１におけるＤＴＣ信号に基づいて、ポーリング要求した外部のファクシミリ装置の能力に合わせて、ＨＴＭＬ文書がデータ変換部１３０で画データに変換される。具体的には、ＤＴＣ信号で示されたポーリング要求した外部のファクシミリ装置の解像度、記録紙サイズ等に基づいて、ＨＴＭＬ文書がデータ変換部１３０で画データに変換される。
【００２２】
ステップＳ７においては、ＮＣＵ１１０により電話回線Ｌが接続された後、前記ステップＳ１におけるＣＩＧ信号に格納されてきた外部のファクシミリ装置のＦＡＸ番号に対して発呼が行われて、画データが送信される。
【００２３】
ステップＳ８においては、ＮＣＵ１１０により電話回線Ｌが接続された後、前記ステップＳ１におけるＣＩＧ信号に格納されてきた外部のファクシミリ装置のＦＡＸ番号に対して発呼が行われる。そして、データが外部のファクシミリ装置にバイナリファイル転送（ＢＦＴ）で送信される。
【００２４】
以上、詳述したように本実施形態によれば、次のような作用、効果を得ることができる。
（１）ファクシミリ装置１は、外部のファクシミリ装置からポーリング要求があった場合は、ＮＳＣ信号に格納されてくるＵＲＬ又はＦＴＰパスに基づいて、ＷＷＷサーバ又はＦＴＰサーバに対してデータの要求が行われる。そして、ファクシミリ装置１は、ＷＷＷサーバ又はＦＴＰサーバから要求したデータを受信して、受信したデータをポーリング要求があった外部のファクシミリ装置に送信している。このため、ポーリング要求されるデータは、ファクシミリ装置１の画像メモリ８０に記憶しておく必要はない。つまり、ＷＷＷサーバやＦＴＰサーバに記憶されたデータであっても、ポーリング要求に基づいて、ポーリング要求した外部のファクシミリ装置に送信することができる。従って、ポーリング機能を有効に活用することができる。
【００２５】
（２）加えて、ＷＷＷサーバ又はＦＴＰサーバからのデータが所定のデータである場合は、ポーリング要求した外部のファクシミリ装置の能力に合わせてデータ変換部１３０で画データに変換している。このため、ポーリング要求した外部のファクシミリ装置は、要求した画データを確実に受信することができる。従って、ポーリング要求されたデータがファクシミリ装置１以外に記憶されている場合であっても、ポーリング要求した外部のファクシミリ装置は、画データを受信することができる。従って、ポーリング機能を有効に活用することができる。
【００２６】
（３）併せて、ＷＷＷサーバ又はＦＴＰサーバからのデータが所定のデータでない場合は、所定のデータが外部のファクシミリ装置にバイナリファイル転送で送信される。このため、ＷＷＷサーバ又はＦＴＰサーバからのデータ形式に拘わりなく、所定のデータをポーリング要求された外部のファクシミリ装置に送信することができる。従って、ポーリング機能を有効に活用することができる。
【００２７】
（４）ポーリング機能を用いて各種サービスを提供する場合には、ＷＷＷサーバ又はＦＴＰサーバにデータを記憶させておくことができる。換言すれば、各種サービスに対応する大量のデータをファクシミリ装置１の画像メモリ８０に記憶させておく必要はない。このため、画像メモリ８０がポーリング機能のサービスのための画データで占有されることはない。従って、画像メモリ８０がポーリング機能のサービスのために占有されて、ポーリング機能以外の機能、例えばコピー機能や通常の送受信機能に弊害が発生するおそれはない。
【００２８】
（５）ポーリング要求があった場合は、電話回線Ｌを一旦開放している。これは、インターネットの回線状況に応じて、ＷＷＷサーバ又はＦＴＰサーバからのデータが遅延することを考慮したためである。その結果、遅延に基づくタイムアウトで電話回線Ｌが切断されることはない。
【００２９】
なお、前記実施形態は、次のように変更して具体化することも可能である。
・前記実施形態では、ファクシミリ装置１とＷＷＷサーバ又はＦＴＰサーバとがインターネットを介して接続された構成であったが、これに代えて、ファクシミリ装置１とＷＷＷサーバ又はＦＴＰサーバとがＬＡＮを介して接続された構成に良い。このように構成すれば、ファクシミリ装置１からＷＷＷサーバ又はＦＴＰサーバへのアクセスが向上されて、ポーリング要求した外部のファクシミリ装置に素早くデータを送信することができる。しかも、このように構成すれば、ＷＷＷサーバ又はＦＴＰサーバからのデータが素早く転送されてくるため、電話回線Ｌを切断することなく、ポーリング要求した外部のファクシミリ装置にデータを送信することができる。
【００３０】
・図２に示すステップＳ５においては、プロトコルに基づいて、所定のデータであるか否かを判断する構成にしても良い。すなわち、ＷＷＷサーバに対しては、ＨＴＴＰプロトコルを、ＦＴＰサーバに対してはＦＴＰプロトコルを用いるため、これらのプロトコルに基づいて、所定のデータであるか否かを判断する構成にしても良い。
【００３１】
さらに、上記実施形態等より把握される請求項以外の技術的思想について、以下にそれらの効果と共に記載する。
〔１〕制御手段は、ポーリング要求があった後、一旦回線を開放するファクシミリ装置。このように構成すれば、遅延に基づくタイムアウトで回線が切断されることはない。
【００３２】
〔２〕ポーリング要求を行う第１ファクシミリ装置と、そのポーリング要求に応答する第２ファクシミリ装置と、第２ファクシミリ装置からの要求に応答するサーバとから構成される通信ネットワークシステムにおいて、第２ファクシミリ装置は、第１ファクシミリ装置からのポーリング要求に基づいて、ポーリング要求されたデータをサーバから受信して、その受信したデータを第１ファクシミリ装置に送信する通信ネットワークシステム。このように構成すれば、ポーリング機能を有効に活用することが可能な通信ネットワークシステムを提供することができる。
【００３３】
【発明の効果】
本発明は、以上のように構成されているため、次のような効果を奏する。
各請求項に記載の発明によれば、ポーリング機能を有効に活用することができる。
【図面の簡単な説明】
【図１】ファクシミリ装置の構成を示すブロック図。
【図２】ポーリング要求があったときの動作を示すフローチャート。
【符号の説明】
１…ファクシミリ装置、１０…制御手段を構成するＭＰＵ、２０…制御手段を構成するＲＯＭ、３０…制御手段を構成するＲＡＭ、１３０…データ変換部。
【図１】
0003580230.tif 000002
【図２】
0003580230.tif 000003